(57)【要約】【課題】送受信アンテナに悪影響を与えることなく、第２ヒンジ部を第２基板に容易に仮止めして組み付けの作業効率を上げる。【解決手段】第１基板を有する第１の筐体と、第２基板４を有する第２の筐体と、これら第１の筐体と第２の筐体とを折畳み開閉自在に連結するヒンジ６とを備えた携帯電話機において、ヒンジ６を第１の筐体側に固定される第１ヒンジ部６１と、第２の筐体側に固定される第２ヒンジ部６２とで構成し、これら第１ヒンジ部６１と第２ヒンジ部６２とを水平軸Ｘを中心に折畳み自在とし、第２ヒンジ部６２には、水平軸Ｘから降りる一対の脚部６７，６８を設ける。一方のグランド側脚部６７を仮止め用ビス４７で第２基板４に締結した後、各脚部６７，６８の下端部に設けた挿通孔６９を通るビスによって第２ヒンジ部６２を第２基板４及び第２の筐体に固定する。【選択図】図８
2006336681.tif 000002
【特許請求の範囲】
【請求項１】
第１基板を有する第１の筐体と、第２基板を有する第２の筐体と、該第１の筐体と第２の筐体とを折畳み開閉自在に連結するヒンジとを備えた折畳み式携帯通信機器であって、
上記ヒンジは、上記第１の筐体側に固定される第１ヒンジ部と、上記第２の筐体側に固定される第２ヒンジ部とを備え、該第１ヒンジ部と第２ヒンジ部とが水平軸を中心に折畳み自在に構成され、
上記第２ヒンジ部は、上記水平軸から降りる一対の脚部を有し、該各脚部の下端部に設けた挿通孔を通るビスによって上記第２基板及び第２の筐体に固定されており、
一方の脚部は、仮止め用ビスで第２基板に締結されていることを特徴とする折畳み式携帯通信機器。
【請求項２】
請求項１に記載の折畳み式携帯通信機器において、
上記仮止め用ビスは、段付き部を有する段付きビスによって構成され、上記第２ヒンジ部が第２基板に仮止めされた状態で該仮止め用ビスの頭部と第２基板との間に隙間が形成されていることを特徴とする折畳み式携帯通信機器。
【請求項３】
請求項２に記載の折畳み式携帯通信機器において、
上記第２の筐体には、第２ヒンジ部の脚部下端部に当接して、該第２ヒンジ部の位置決めをする位置決め用リブが設けられていることを特徴とする折畳み式携帯通信機器。
【請求項４】
請求項１乃至３のいずれか１つに記載の折畳み式携帯通信機器において、
上記第１基板と第２基板とは、グランド線を有する信号線で接続され、該グランド線の端子が、上記一方の脚部と共に上記第２基板に上記仮止め用ビスによって締結されていることを特徴とする折畳み式携帯通信機器。
【請求項５】
請求項４に記載の折畳み式携帯通信機器において、
上記ヒンジは、金属製であり、
上記信号線は、上記水平軸に設けた貫通孔内をグランド線が接した状態で挿通されていることを特徴とする折畳み式携帯通信機器。
【請求項６】
請求項４又は５に記載の折畳み式携帯通信機器において、
上記第２ヒンジ部の他方の脚部下端部近傍には、送受信アンテナの接地ポイントがあり、該他方の脚部下端部は、上記第２基板に対してグランド電位差を保つように、絶縁体によって覆われていることを特徴とする折畳み式携帯通信機器。
【請求項７】
請求項６に記載の折畳み式携帯通信機器において、
上記絶縁体には、上記他方の脚部下端部に接する側と反対側へ突出し、第２基板の外周縁の一部を覆う複数の仮止め用突起が形成されていることを特徴とする折畳み式携帯通信機器。
【請求項８】
請求項４乃至７のいずれか１つに記載の折畳み式携帯通信機器において、
上記第１の筐体には、液晶表示部が設けられ、
上記第２の筐体には、操作部が設けられていることを特徴とする折畳み式携帯通信機器。
【請求項９】
請求項８に記載の折畳み式携帯通信機器において、
上記第１ヒンジ部は、上記水平軸に対して垂直な垂直軸を有し、
上記第１の筐体の液晶表示部は、上記垂直軸を中心に表裏反転可能に支持されていることを特徴とする折畳み式携帯通信機器。
【請求項１０】
請求項１乃至９のいずれか１つに記載の折畳み式携帯通信機器において、
上記第２ヒンジ部の一対の脚部の間には、カメラが配置されていることを特徴とする折畳み式携帯通信機器。
【発明の詳細な説明】
【技術分野】
【０００１】
本発明は、第１の筐体と第２の筐体とを折畳み開閉自在に連結するヒンジを備えた折畳み式携帯通信機器に関し、特にそのヒンジの固定構造に関するものである。
【背景技術】
【０００２】
従来より、第１基板を有する第１の筐体と、第２基板を有する第２の筐体と、これら第１の筐体と第２の筐体とを折畳み開閉自在に連結するヒンジとを備えた折畳み式携帯通信機器が使用されている（例えば、特許文献１参照）。
【０００３】
このような折畳み式携帯通信機器において、上記ヒンジの剛性を保つためなどの理由により、ヒンジが第１の筐体側に固定される第１ヒンジ部と、第２の筐体側に固定される第２ヒンジ部とを備え、これら第１ヒンジ部と第２ヒンジ部とが水平軸を中心に折畳み自在に構成されたものが知られている。この第２ヒンジ部は、水平軸から降りる一対の脚部を有し、各脚部の下端部に設けた挿通孔を通るビスによって第２基板及び第２の筐体に組み付けられている。
【特許文献１】特開２００５−５１６５５号公報
【発明の開示】
【発明が解決しようとする課題】
【０００４】
ところで、上記従来の折畳み式携帯通信機器では、作業工程上、第２ヒンジ部を第２基板に仮止めしてから、第２基板を第２の筐体に嵌め込んだ状態で、最終的に各脚部の下端部に設けた挿通孔にビスを通して第２基板及びヒンジを第２の筐体に固定する必要がある。
【０００５】
上記第２ヒンジ部の一方の脚部が締結される第２基板の近傍には、送受信アンテナの接地ポイントが設けられている場合、この周囲では特に金属製で構成された第２ヒンジ部と第２基板の導通部分との接触が制限されている。また、基板上には、複数の精密機器等が設けられるので、第２ヒンジ部を締結するためのスペースは制限されている。
【０００６】
そこで、従来、第２ヒンジ部を第２基板に仮止めするためには、樹脂クリップや両面テープが用いられていた。この仮止め方法では、第２ヒンジ部をしっかりと第２基板に固定することができず、作業性が悪いとという問題があった。
【０００７】
本発明は、かかる点に鑑みてなされたものであり、その目的とするところは、送受信アンテナに悪影響を与えることなく、第２ヒンジ部を第２基板に容易に仮止めして組み付けの作業効率を上げることにある。
【課題を解決するための手段】
【０００８】
上記の目的を達成するために、この発明では、一方の脚部を仮止め用ビスで第２基板に仮止めするようにした。
【０００９】
具体的には、第１の発明では、第１基板を有する第１の筐体と、第２基板を有する第２の筐体と、該第１の筐体と第２の筐体とを折畳み開閉自在に連結するヒンジとを備えた折畳み式携帯通信機器を対象とし、
上記ヒンジは、上記第１の筐体側に固定される第１ヒンジ部と、上記第２の筐体側に固定される第２ヒンジ部とを備え、該第１ヒンジ部と第２ヒンジ部とが水平軸を中心に折畳み自在に構成され、
上記第２ヒンジ部は、上記水平軸から降りる一対の脚部を有し、該各脚部の下端部に設けた挿通孔を通るビスによって上記第２基板及び第２の筐体に固定されており、
一方の脚部は、仮止め用ビスで第２基板に締結されている。
【００１０】
上記の構成によると、送受信アンテナの接地ポイントのない方の第２ヒンジ部の脚部を仮止め用ビスで第２基板に締結することにより、送受信アンテナに悪影響を与えないように、第２ヒンジ部が第２基板にしっかりと仮止めされるので、ビスの挿通孔がずれることはない。
【００１１】
第２の発明では、上記仮止め用ビスは、段付き部を有する段付きビスによって構成され、上記第２ヒンジ部が第２基板に仮止めされた状態で該仮止め用ビスの頭部と第２基板との間に隙間が形成されている。
【００１２】
上記の構成によると、第２ヒンジ部は、段付きの仮止め用ビスで第２基板に仮止めされているので、第２基板に対し、挿通孔と段付き部との間の余裕分だけスライド可能となる。
【００１３】
第３の発明では、上記第２の筐体には、第２ヒンジ部の脚部下端部に当接して、該第２ヒンジ部の位置決めをする位置決め用リブが設けられている。
【００１４】
上記の構成によると、第２基板に対して挿通孔と段付き部との間の余裕分だけスライド可能な状態で仮止めされた第２ヒンジ部が第２の筐体に位置決め用リブによってセンタリングされるので、ビスの挿通孔がしっかりと位置決めされる。
【００１５】
第４の発明では、上記第１基板と第２基板とは、グランド線を有する信号線で接続され、該グランド線の端子が、上記一方の脚部と共に上記第２基板に上記仮止め用ビスによって締結されている。
【００１６】
上記の構成によると、信号線のグランド線が仮止め用ビスによって第２基板に確実に接地される。
【００１７】
第５の発明では、上記ヒンジは、金属製であり、
上記信号線は、上記水平軸に設けた貫通孔内をグランド線が接した状態で挿通されている。
【００１８】
上記の構成によると、ヒンジにもグランド線が接しているので、第２基板との間のグランド電位差が小さくなる。
【００１９】
第６の発明では、上記第２ヒンジ部の他方の脚部下端部近傍には、送受信アンテナの接地ポイントがあり、該他方の脚部下端部は、上記第２基板に対してグランド電位差を保つように、絶縁体によって覆われている。
【００２０】
上記の構成によると、第２ヒンジ部の送受信アンテナの接地ポイントに近い方の脚部下端部が絶縁体に覆われているので、送受信アンテナに悪影響を与えず、また、仮止め用ビスは、その反対側の脚部下端部に締結されているので、仮止め用ビスを設けたことにより、送受信アンテナに悪影響を与えることはない。
【００２１】
第７の発明では、上記絶縁体には、上記他方の脚部下端部に接する側と反対側へ突出し、第２基板の外周縁の一部を覆う複数の仮止め用突起が形成されている。
【００２２】
上記の構成によると、第２ヒンジ部を第２基板に仮止めする際に仮止め用ビスと反対側の脚部側においても絶縁体によって仮止めされる。
【００２３】
第８の発明では、上記第１の筐体には、液晶表示部が設けられ、
上記第２の筐体には、操作部が設けられている。
【００２４】
上記の構成によると、第１基板が液晶表示部に接続され、第２基板が操作部に接続され、両者間のグランド電位差が仮止め用ビスで締結された第２ヒンジ部の下端部で小さくなる。
【００２５】
第９の発明では、上記第１ヒンジ部は、上記水平軸に対して垂直な垂直軸を有し、
上記第１の筐体の液晶表示部は、上記垂直軸を中心に表裏反転可能に支持されている。
【００２６】
上記の構成によると、ヒンジによって液晶表示部が垂直軸を中心に表裏反転可能に支持される。
【００２７】
第１０の発明では、上記第２ヒンジ部の一対の脚部の間には、カメラが配置されている。
【００２８】
上記の構成によると、一対の脚部の間に大きなスペースが設けられているので、このスペースに光学ズームを備えた高性能なカメラなどが配置される。
【発明の効果】
【００２９】
以上説明したように、上記第１の発明によれば、第２ヒンジ部の一対の脚部の一方を仮止め用ビスで第２基板に締結している。このため、送受信アンテナの接地ポイントの反対側で仮止めが可能となり、送受信アンテナに悪影響を与えることなく、第２ヒンジ部を第２基板に容易に仮止めして組み付けの作業効率を上げることができる。
【００３０】
上記第２の発明によれば、第２ヒンジ部を段付きの仮止め用ビスで第２基板に仮止めし、第２基板に対し若干スライド可能としている。このため、第２の筐体と第２ヒンジ部との間などに製作誤差があっても、第２ヒンジ部を仮止めした状態でビスの挿通孔のセンタリングが行えるので、さらに作業性を向上させることができる。
【００３１】
上記第３の発明では、仮止めされた第２ヒンジ部を第２の筐体に設けた位置決め用リブによってセンタリングするようにしている。このため、第２ヒンジ部が容易に位置決めされるので、その組み付けが極めて容易になる。
【００３２】
上記第４の発明によれば、第１基板と第２基板とを接続する信号線のグランド線の端子を一方の脚部と共に第２基板に仮止め用ビスによって締結している。このため、従来に比してグランド線の端子が第２基板にしっかりと接地されるので、第１基板と第２基板との間のグランド電位差を小さくすることができる。
【００３３】
上記第５の発明によれば、信号線を金属製のヒンジの貫通孔内に接した状態で挿通している。このため、第２ヒンジ部の下端部を第２基板に導通させることにより、グランド電位差をさらに小さくすることができる。
【００３４】
上記第６の発明によれば、第２ヒンジ部の送受信アンテナの接地ポイントに近い方の脚部下端部を絶縁体で覆って第２基板に当接させ、仮止め用ビスを反対側の脚部下端部に締結している。このため、送受信アンテナに悪影響を与えることなく、組み付けの作業効率を上げることができる。
【００３５】
上記第７の発明によれば、絶縁体に複数の仮止め用突起を形成し、仮止め用ビスと反対側の脚部側においても仮止めしている。このため、絶縁体によって、第２ヒンジ部を絶縁させるだけでなく、第２ヒンジ部の仮固定度を高めることもできる。
【００３６】
上記第８の発明によれば、第１の筐体に液晶表示部を設け、第２の筐体に操作部を設けることにより、第１基板と第２基板との間にグランド電位差が発生するが、第２ヒンジ部の下端部で仮止め用ビスで締結したことにより、この電位差を効果的に小さくすることができる。
【００３７】
上記第９の発明では、第１の筐体の液晶表示部を垂直軸を中心に表裏反転可能に支持している。また、上記第１０の発明では、第２ヒンジ部の一対の脚部の間にカメラを配置している。これらの発明によると、多機能な折畳み式携帯通信機器においても、送受信アンテナに悪影響を与えることなく、第２ヒンジ部を第２基板に容易に仮止めして組み付けの作業効率を上げることができる。
【発明を実施するための最良の形態】
【００３８】
以下、本発明の実施形態を図面に基づいて説明する。
【００３９】
図１乃至図３に示すように、本実施形態の折畳み式携帯通信機器としての携帯電話機１は、第１基板２を有する第１の筐体３と、第２基板４を有する第２の筐体５とを備えている。第１の筐体３と第２の筐体５とは、ヒンジ６によって折畳み開閉自在に連結されている。
【００４０】
図４にも示すように、上記ヒンジ６は、金属製の部材を組み合わせた堅固な構造を有している。このヒンジ６は、第１の筐体３側の第１ヒンジ部６１と、第２の筐体５側の第２ヒンジ部６２とからなる。第１ヒンジ部６１と第２ヒンジ部６２とが水平な水平軸Ｘを中心に折畳み開閉自在に構成されている。第２基板４の表面側から見て左側の水平軸Ｘの軸方向中心には、水平貫通孔６３が設けられている。上記第１ヒンジ部６１は、水平軸Ｘ側の第１ヒンジ部本体６４と、この水平軸Ｘの軸方向に対して垂直に延びる垂直軸Ｙを有し、この垂直軸Ｙを中心に回転可能に支持された液晶側ヒンジ６５とを備えている。この垂直軸Ｙの中心には、垂直貫通孔６６が設けられている。
【００４１】
図１に示すように、上記第１の筐体３には、ヒンジ６側のベース部３ａと、このベース部３ａに対し、上記垂直軸Ｙを中心に表裏反転自在に支持された液晶表示部７とが設けられている。すなわち、第１の筐体３のベース部３ａに、上記第１ヒンジ部本体６４が内蔵され、液晶表示部７に、上記液晶側ヒンジ６５が内蔵されている。上記液晶表示部７には、矩形状の液晶ディスプレイ７ａが設けられている。その詳細は図示しないが、図１に破線で示すように、この液晶ディスプレイ７ａの背面に第１基板２が設けられている。
【００４２】
図１に示すように、上記第２の筐体５には、複数の操作キー８を有する操作部９が設けられている。この操作キー８を操作することで、携帯電話機１の多数の機能が利用されるようになっている。図６に示すように、この操作キー８の背面側にキーフレキユニット２３及び第２基板４が設けられている。
【００４３】
上記第１の筐体３の第１基板２と第２の筐体５の第２基板４とは、複数の細い電線（図示せず）が束ねられて構成された信号線１０で接続されている。各電線の各端部は、第１の筐体３側の第１コネクタ１２と、第２の筐体５側の第２コネクタ１３とに接続されている。この第１コネクタ１２が第１基板２に接続され、第２コネクタ１３が第２基板４に接続されている。
【００４４】
上記信号線１０は、複数の導線をメッシュ状に編んだグランド線１６で覆われている。このグランド線１６は、信号線１０の第２コネクタ１３側となる部分に、グランド端子１７が接続されている。上記信号線１０は、上記水平軸Ｘに設けた水平貫通孔６３内をグランド線１６が接した状態で挿通されている。
【００４５】
図４及び図５に示すように、上記第２ヒンジ部６２は、上記水平軸Ｘから降りる一対の脚部６７，６８を有し、この各脚部６７，６８の下端部には、挿通孔６９が形成されている。この挿通孔６９を通るビス７０（図６に示す）によって、第２ヒンジ部６２は第２基板４及び第２の筐体５に固定されるようになっている。
【００４６】
図６に示すように、第２の筐体５は、操作部９の設けられる上側キャビ５１とその反対側の下側キャビ５２とに大きく２分割されている。この上側キャビ５１のヒンジ６側両角部には、一対のビス挿通孔５３が設けられている。一方、下側キャビ５２にも、このビス挿通孔５３に対応するようにボス部５４が形成されている。同様に下側キャビ５２のヒンジ６と反対側両角部には、一対のビス挿通孔５３が設けられ、上側キャビ５１にも、このビス挿通孔５３に対応するようにボス部５４が形成されている。また、上側キャビ５１の第２ヒンジ部６２側は、ヒンジカバー５７で覆われている。
【００４７】
また、図７に示すように、上側キャビ５１の裏面のビス挿通孔５３の周囲には、第２ヒンジ部６２の各脚部６７，６８の下端部の挿通孔６９が設けられた部分に当接して、この第２ヒンジ部６２の位置決めをする位置決め用リブ５５，５６が設けられている。
【００４８】
図５に示すように、上記第２基板４にも上記ビス挿通孔５３及びボス部５４に対応するように、基板側のビス挿通孔４１，４２，４６が形成されている。具体的には、図６に示すように、上記第２ヒンジ部６２のグランド側脚部６７が固定されるグランド側ビス挿通孔４１は、第２基板４に導通する接地部４３が形成されている。反対側のアンテナ側脚部６８が固定される絶縁側ビス挿通孔４２は、周囲よりも若干盛り上がった円環状に形成されている。さらに、第２基板４のヒンジ６と反対側にも、下側挿通孔４６が形成されている。
【００４９】
図８に示すように、この絶縁側ビス挿通孔４２の近傍の裏面には、アンテナ接地ポイント４４が設けられている。また、図９に示すように、下側キャビ５２のカメラユニット２０が配置される部分の近傍には送受信アンテナ４８が配置されている。この送受信アンテナ４８の一端側には、アンテナ接点部４９が設けられ、下側キャビ５２に第２基板４が組み付けられたときに、アンテナ接点部４９が上記アンテナ接地ポイント４４に接地するようになっている。
【００５０】
上記接地部４３のグランド側ビス挿通孔４１の近傍には、このグランド側ビス挿通孔４１よりも小径の仮止め用貫通孔４５が形成されている。
【００５１】
図１０及び図１１に示すように、上記グランド側脚部６７は、仮止め用ビス４７で第２基板４に締結されている。上記グランド線１６のグランド端子１７は、グランド側脚部６７と共に上記第２基板４に仮止め用ビス４７によって締結されている。この仮止め用ビス４７は、ネジ部４７ａよりも太い段付き部４７ｂが設けられた段付きビスによって構成され、グランド側脚部６７が第２基板４に仮止めされた状態で仮止め用ビス４７の頭部４７ｃと第２基板４との間に隙間が形成されている。例えば、段付き部４７ｂの段部と頭部４７ｃとの間の間隔を１．１ｍｍとし、第２基板４の厚さを０．８３ｍｍ及びグランド端子１７の厚さを０．２ｍｍとする。また、段付き部４７ｂの外径を１．８ｍｍとし、仮止め用貫通孔４５の内径を２．０ｍｍとする。このことで、第２ヒンジ部６２が第２基板４に対して仮止め用貫通孔４５の内径と段付き部４７ｂの外径との間の隙間分だけスライド移動可能に仮止めされるようになっている。
【００５２】
一方、図６及び図８に示すように、上記第２ヒンジ部６２の他方のアンテナ側脚部６８下端部は、上記第２基板４に対してグランド電位差を保つように、絶縁体としてのプラスチック製のカバー部材１８によって覆われている。このカバー部材１８には、ビス７０が挿通されるビス挿通孔１８ａとアンテナ側脚部６８下端部に当接する側と反対側へ伸びる複数の仮止め用突起１９とが形成されている。
【００５３】
図４及び図５に示すように、上記第２基板４には、光学ズーム機能やオートフォーカス機能を有する高性能なカメラを備えたカメラユニット２０が設けられている。このカメラユニット２０は、そのレンズ部２１を第２の筐体５の裏面側に覗かせるように、上記第２ヒンジ部６２の脚部６７，６８の間の広いスペースに設けられている。
【００５４】
−組み付け方法−
次に、本実施形態にかかる携帯電話機１の組み付け方法について図面を用いて説明する。
【００５５】
まず、図６に示すように、信号線１０をヒンジ６の水平貫通孔６３及び垂直貫通孔６６に挿通させる。このとき、少なくとも水平貫通孔６３にグランド線１６が接するように挿通させるのが望ましい。
【００５６】
次いで、グランド線１６のグランド端子１７を第２ヒンジ部６２のグランド側脚部６７に下側から取り付け、他方のアンテナ側脚部６８には、カバー部材１８を下側から取り付ける。
【００５７】
次いで各脚部６７，６８の挿通孔６９を第２基板４のビス挿通孔４１，４２にそれぞれ合わせ、カバー部材１８の仮止め用突起１９を基板４に当接させた状態で第２基板４の下側から仮止め用貫通孔４５に仮止め用ビス４７を挿入する。そして、グランド側脚部６７の仮止め用ネジ孔７１に、その段付き部４７ｂが第２基板４に当接するまで締め付ける。この仮止め状態では、第２ヒンジ部６２は、第２基板４に対して若干スライド可能となっている。
【００５８】
次いで、第２基板４の下側からカメラユニット２０を挿入し、固定する。
【００５９】
次いで、モバイルライトホルダー２２を下側から挿入する。
【００６０】
次いで、キーフレキユニット２３を上側から取り付ける。
【００６１】
次いで、第２基板４を送受信用アンテナ４８が組み付けられた下側キャビ５２に嵌め込む。
【００６２】
次に、図７に示すように、上側キャビ５１を、その位置決め用リブ５５，５６が第２ヒンジ部６２の各脚部６７，６８の下端部の挿通孔６９の周囲に当接するように、第２基板４の上側から嵌め込む。このとき、第２ヒンジ部６２が位置決め用リブ５５，５６に押されてセンタリングされる。
【００６３】
次いで、下側キャビ５２にヒンジカバー５７を被せる。
【００６４】
次いで、上側キャビ５１及び下側キャビ５２の各ビス挿通孔５３及び第２基板４のビス挿通孔４１，４２，４６にそれぞれビス７０を挿通して、ボス部５４に締め付ける。
【００６５】
−実施形態の効果−
したがって、本実施形態にかかる携帯電話機１によると、第２ヒンジ部６２のグランド側脚部６７を仮止め用ビス４７で第２基板４に締結している。このため、送受信アンテナ４８の接地ポイント４４の反対側で仮止めが可能となり、送受信アンテナ４８に悪影響を与えることなく、第２ヒンジ部６２を第２基板４に容易に仮止めして組み付けの作業効率を上げることができる。
【００６６】
また、第２ヒンジ部６２を段付きの仮止め用ビス４７で第２基板４に仮止めし、第２基板４に対し若干スライド可能としている。このため、第２の筐体５と第２ヒンジ部６２との間などに製作誤差があっても、第２ヒンジ部６２を仮止めした状態で挿通孔６９のセンタリングが行えるので、さらに作業性を向上させることができる。
【００６７】
また、仮止めされた第２ヒンジ部６２を第２の筐体５に設けた位置決め用リブ５５，５６によってセンタリングするようにしている。このため、第２ヒンジ部６２が容易に位置決めされるので、その組み付けが極めて容易になる。
【００６８】
また、第１基板２と第２基板４とを接続する信号線１０のグランド線１６のグランド端子１７をグランド側脚部６７と共に第２基板４に仮止め用ビス４７によって締結している。このため、従来に比してグランド線１２のグランド端子１７が第２基板４にしっかりと接地されるので、第１基板２と第２基板４との間のグランド電位差を小さくすることができる。
【００６９】
また、信号線１０を金属製のヒンジ６の水平貫通孔６３内に接した状態で挿通している。このため、第２ヒンジ部６２のグランド側脚部６７下端部を第２基板４に導通させることにより、グランド電位差をさらに小さくすることができる。
【００７０】
また、第２ヒンジ部６２の送受信アンテナ４８の接地ポイント４４に近い方のアンテナ側脚部６８下端部をカバー部材１８で覆って第２基板４に当接させ、仮止め用ビス４７を反対側のグランド側脚部６７下端部に締結している。このため、送受信アンテナ４８に悪影響を与えることなく、組み付けの作業効率を上げることができる。
【００７１】
また、カバー部材１８に複数の仮止め用突起１９を形成し、仮止め用ビス４７と反対側のアンテナ側脚部６８側においても仮止めしている。このため、カバー部材１８によって、第２ヒンジ部６２を絶縁させるだけでなく、第２ヒンジ部６２の仮固定度を高めることもできる。
【００７２】
また、第１の筐体３に液晶表示部７を設け、第２の筐体５に操作部９を設けることにより、第１基板２と第２基板４との間にグランド電位差が発生するが、第２ヒンジ部６２の下端部で仮止め用ビス４７で締結したことにより、この電位差を効果的に小さくすることができる。
【００７３】
また、第１の筐体３の液晶表示部７を垂直軸Ｙを中心に表裏反転可能に支持している。また、第２ヒンジ部６２の一対の脚部６７，６８の間にカメラユニット２０を配置している。これらの発明によると、多機能な携帯電話機１においても、送受信アンテナ４８に悪影響を与えることなく、第２ヒンジ部６２を第２基板４に容易に仮止めして組み付けの作業効率を上げることができる。
【００７４】
（その他の実施形態）
本発明は、上記実施形態について、以下のような構成としてもよい。
【００７５】
すなわち、上記実施形態では、仮止め用ビス４７は、段付きビスとしたが、必ずしも段付きビスでなくてもよい。この場合には、別の方法で仮止め用ビス４７を締結した際に仮止め用ビス４７の頭部４７ｃと第２基板４との間に隙間が形成されるようにすればよい。
【００７６】
また、上記実施形態では、仮止め用ビス４７は、グランド側脚部６７側のみ設けたが、アンテナ側脚部６８にも設けてもよい。この場合には、アンテナ側脚部６８側においては、仮止め用ビス４７が第２基板４に導通しないように締め付ける必要がある。
【００７７】
また、第１の筐体３の液晶表示部７を垂直軸Ｙを中心に表裏反転可能に支持しているが、ヒンジ６は、垂直軸Ｙを有さず、液晶表示部７が表裏反転できないものでもよい。
【００７８】
また、第２ヒンジ部６２の一対の脚部６７，６８の間にカメラユニット２０を配置しているが、このカメラユニット２０がないものでもよい。
【００７９】
また、第２の筐体５側に液晶表示部７を設け、第１の筐体３側に操作部９を設けたような構成としてもよい。
【００８０】
なお、以上の実施形態は、本質的に好ましい例示であって、本発明、その適用物や用途の範囲を制限することを意図するものではない。
【産業上の利用可能性】
【００８１】
以上説明したように、本発明は、第１の筐体と第２の筐体とを折畳み開閉自在に連結するヒンジを備えた折畳み式携帯通信機器について有用である。
【図面の簡単な説明】
【００８２】
【図１】本実施形態の携帯電話機の開いた状態を示す斜視図である。
【図２】本実施形態の携帯電話機の閉じた状態を示す斜視図である。
【図３】ヒンジが表れた状態を示す斜視図である。
【図４】第２基板、ヒンジ及びその周辺を上側から見た斜視図である。
【図５】第２基板、ヒンジ及びその周辺を下側から見た斜視図である。
【図６】第２の筐体の分解斜視図である。
【図７】第２のヒンジ部が上側キャビの位置決めリブに当接する様子を拡大して示す平面図である。
【図８】第２基板及びヒンジを下側から見た分解斜視図である。
【図９】送受信アンテナ及び下側キャビの分解斜視図である。
【図１０】図１のＸ−Ｘ線断面図である。
【図１１】仮止め用ビス及びその周辺を示す拡大側方断面図である。
【符号の説明】
【００８３】
１      携帯電話機（折畳み式携帯通信機器）
２      第１基板
３      第１の筐体
４      第２基板
５      第２の筐体
６      ヒンジ
７      液晶表示部
９      操作部
１０      信号線
１６      グランド線
１７      グランド端子
１８      カバー部材（絶縁体）
１９      仮止め用突起
２０      カメラユニット（カメラ）
４４      アンテナ接地ポイント
４７      仮止め用ビス
４７ｂ    段付き部
４７ｃ    頭部
４８      送受信アンテナ
５５，５６      位置決め用リブ
６１      第１ヒンジ部
６２      第２ヒンジ部
６３      水平貫通孔
６７      グランド側脚部（一方の脚部）
６８      アンテナ側脚部（他方の脚部）
６９      挿通孔
７０      ビス
Ｘ      水平軸
Ｙ      垂直軸
【図１】
2006336681.tif 000003
【図２】
2006336681.tif 000004
【図３】
2006336681.tif 000005
【図４】
2006336681.tif 000006
【図５】
2006336681.tif 000007
【図６】
2006336681.tif 000008
【図７】
2006336681.tif 000009
【図８】
2006336681.tif 000010
【図９】
2006336681.tif 000011
【図１０】
2006336681.tif 000012
【図１１】
2006336681.tif 000013